(57)【要約】      （修正有）【課題】延長ケーブルモジュール式スイッチソケット接続構造を提供する。【解決手段】延長ケーブルモジュール式スイッチソケット接続構造は、スイッチソケット２及び接続部材１を含み、スイッチソケットは、殻体２７、及び該殻体に設けられる第１接触クランプ２４、第２接触クランプ２５及び電気接触部材２６を含み、該第１接触クランプ及び電気接触部材は、何れも少なくとも１つのリベッティングポイント２４１，２６１を設ける。接続部材１は、第１導電延伸片１１及び第２導電延伸片１２を含み、両者上に何れも複数のリベッティングポイントを設け、それぞれ該第１接触クランプ上及び電気接触部材上のリベッティングポイントと締結し、溶接固定することができる。すなわち、リベット及び溶接の両方式を同時に活用した接続構造とする。【選択図】図１
0003174535.tif 000002
【実用新案登録請求の範囲】
【請求項１】
殻体と、該殻体内に設けられる第１接触クランプ、第２接触クランプ及び電気接触部材と、を含み、該第１接触クランプ、第２接触クランプ及び電気接触部材が接続部材を電気接続する延長ケーブルモジュール式スイッチソケット接続構造であり、
該接続部材が複数のリベット孔を設け、前記第２接触クランプ及び電気接触部材は、それぞれ該リベット孔に対応するリベッティングポイントを設け、該リベッティングポイントが該リベット孔に締結した後に更に、溶接固定することを特徴とする延長ケーブルモジュール式スイッチソケット接続構造。
【請求項２】
前記殻体底部は、基台を設け、前記第１接触クランプ、第２接触クランプ及び電気接触部材は、該基台に設けられることを特徴とする請求項１に記載の延長ケーブルモジュール式スイッチソケット接続構造。
【請求項３】
前記第１接触クランプ、第２接触クランプ及び電気接触部材は、該殻体底部に直接設けられることを特徴とする請求項１に記載の延長ケーブルモジュール式スイッチソケット接続構造。
【考案の詳細な説明】
【技術分野】
【０００１】
本考案は、延長ケーブルモジュール式スイッチソケット接続構造に関し、特に、スイッチソケット及び接続部材の間の改良式接続構造に関する。
【背景技術】
【０００２】
一般的に、住宅又はオフィスのソケットの多くは、壁面又は隅の位置に設けられ、且つ数が多くないが、電子製品の電源ケーブルは、有限であり、一定範囲内でのみ、各種電気機器製品を使用することができ、各種不便な状況を招き、例えば、使用者が室内空間をプランニングする際の困難を招き、室内の動線が良好でない等の問題を起こし易い。また、科学技術の発達及び経済の成長に伴い、日常生活中の電気機器製品の種類は、益々多くなり、例えば、デスクトップパソコン、液晶テレビ、ドライヤー、携帯電話等が絶え間なく増加し、既存のソケットの数量が使用に不十分となるので、多くの電源延長ケーブルが設計され、前記問題を解決している。
【０００３】
従来の延長ケーブルの基本構造は、一般に複数のスイッチソケット及び接続部材から構成され、両者間の接続は、リベット方式又は溶接方式によって完成される。しかしながら、リベット方式は、組み立てが堅固でなく、緩みにより導電不良を起こす問題を有し、溶接方式は、はんだを使用する量の不足により起こる空溶接、又は溶接不足によって導電不良を生じ、更には断電に至る問題を有する。従って、前記従来の方式に比較しより堅固で信頼できる接続方式で組み立てを完成させる必要がある。
【先行技術文献】
【特許文献】
【０００４】
【特許文献１】特開２００２−１９０２４１号公報
【考案の概要】
【考案が解決しようとする課題】
【０００５】
本考案者は、上記現有の欠点に鑑み、積極的に改良に着手従事し、上記の問題を解決すべく、絶え間ない試作及び努力を経て、ようやく本考案を開発している。
【０００６】
本考案の目的は、リベット及び溶接の方式を同時に利用し、組み立てる延長ケーブル式スイッチソケット接続構造を提供することである。従来の延長ケーブルスイッチは、リベットを単純使用するか溶接を単純使用する方式で組み立てるが、両者は、何れもその欠点を有しているので、本考案は、従来の方式の欠陥を改良すべく提出されている。
【課題を解決するための手段】
【０００７】
本考案は、スイッチソケット及び接続部材を含む。そのうち、スイッチソケットは、殻体、及び該殻体に設けられる第１接触クランプ、第２接触クランプ及び電気接触部材を含み、該第１接触クランプ及び電気接触部材は、何れも少なくとも１つのリベッティングポイントを設ける。接続部材は、第１導電延伸片及び第２導電延伸片を含み、両者上に何れも複数のリベッティングポイントを設け、それぞれ該第１接触クランプ上及び電気接触部材上のリベッティングポイントと締結し、溶接固定することができる。
【０００８】
本考案は、スイッチソケットの殻体底部に基台を設置し、前記第１接触クランプ、第２接触クランプは、該基台に設けられることができる。
【０００９】
本考案は、前記第１接触クランプ、第２接触クランプ及び電気接触部材を殻体底部に直接設けることができる。
【考案の効果】
【００１０】
本考案の特長は、導電円長辺上に設置したリベット孔及び複数のスイッチソケット上のリベッティングポイントが相互に締結し、溶接固定することにより、導電延伸片及びスイッチソケット間の接合の安定性及び導電性を大幅に増加することができる。従来のリベットを単純使用し、スイッチソケットへの接続が堅固でないという欠点、又は溶接を単純使用し、スイッチソケットへの接続が、空溶接を起こし得る欠点は、何れも本考案の実施方式により回避することができ、本考案が大量生産時に歩留まり及び製品品質を大幅に向上することができる。
【図面の簡単な説明】
【００１１】
【図１】本考案の実施例のスイッチソケットの部材組み合わせ関係を示す立体分解図である。
【図２】本考案の実施例のスイッチソケットの断面図である。
【図３】本考案の実施例のスイッチソケット及び接続部材の組み合わせ関係を示す立体図である。
【図４】本考案の実施例のスイッチソケット及び接続部材の結合後の立体図である。
【図５】本考案の実施例のスイッチソケットをオフ状態に切り換える説明図である。
【図６】本考案の実施例のスイッチソケットをオン状態に切り換える説明図である。
【考案を実施するための形態】
【００１２】
本考案の特長は、本考案の図面及び実施例の詳細な説明を参照し、明確な理解を獲得することができる。
【００１３】
図１、図２及び図３を参照し、本考案の延長ケーブルモジュール式スイッチソケット接続構造は、接続部材１及びスイッチソケット２を含む。そのうち、該スイッチソケット２は、スイッチボタン２１及び電源モジュール２２を含む。該電源モジュール２２上に更に、小バネ２２１、大バネ２２２及び接触片２２３を設け、且つ該電源モジュール２２は、該スイッチボタン２１により切り換えられる。基台２３は、該電源モジュール２２下方に設けられ、該電源モジュール２２と連結し、且つその中央部分は、長形孔２３１を設ける（図１参照）。第１接触クランプ２４は、リベッティングポイント２４１を有し、該基台２３の一側辺上に設置され、該電源モジュール２２の小バネ２２１と接触連結し、該リベッティングポイント２４１は、基台２３下方に突出する。第２接触クランプ２５は、該基台２３の他側辺上に挟み設けられ、該電源モジュール２２の接触片２２３と接触電気接続する。リベッティングポイント２６１を有する電気接触部材２６は、該基台２３の中心箇所の長形孔２３１に設けられ、その一端は、該長形孔２３１の上に係合する。該電源モジュール２２の下において、他端は、リベッティングポイント２６１を有し、該基台２３の長形孔２３１外に突出する。殻体２７は、中空状の柱状体であり、該基台２３上に設けられ、それと緊密に接合し、収容空間２７１を形成し、上記部材をその内に収容し、且つ該殻体２７は、２つの開口２７２を設け、該第１接触クランプ２４及び第２接触クランプ２５を該２つの開口２７２から該殻体２７外まで延伸させることができる。そのうち、該基台２３は、独立した部材を成形し、更に、殻体２７底部に組み立てられることができる。本考案は、前記基台を設置せずに、直接殻体２７の底面を密封することもできるが、殻体２７底面に第１接触クランプ２４、第２接触クランプ２５及び電気接触部材２６を取り付ける構造を予め残し（図示せず）、これにより、第１接触クランプ２４、第２接触クランプ２５及び電気接続２６を殻体２７底部に直接組み合わせる。
【００１４】
接続部材１は、第１導電延伸片１１を含み、その上に、複数のリベット孔１１１を設け、該第１接触クランプ２４上のリベッティングポイント２４１と締結し、溶接固定することができる（本考案の最適実施例は、点溶接を採用するが、点溶接に限定せず、その他の溶接方式、例えば、電気溶接、錫溶接、超音波溶接等の方式で実施することもでき、以下は、何れも同じである）。第２導電延伸片１２は、その上に複数のリベット孔１２１を設け、該電気接触部材２６上のリベッティングポイント２６１と締結し、溶接固定でき、図３、図４に示すようである。本考案の好適な方式は、第１接触クランプ２４、第２接触クランプ２５及び電気接触部材２６は、何れも殻体に組み合わさった後、殻体底部を接続部材１に向け、突出するリベッティングポイント２４１，２６１をそれぞれ第１導電延伸片１１のリベット孔１１１及び第２導電延伸片１２のリベット孔１２１に挿入し、リベット孔１１１，１２１に突出するリベッティングポイント２４１，２６１に対し溶接を施し、スイッチソケット２が接続部材１と安定した電気接続を獲得できるようにする。
【００１５】
本考案の操作方式は、以下である：該電源モジュール２２をスイッチ位置に切り換える時（図５参照）、電荷は、該第１導電延伸片１１から進入し、該第１接触クランプ２４のリベッティングポイント２４１を経て、小バネ２２１を経て該電源モジュール２２に伝送されることができ、続いて、大バネ２２２及び接触片２２３を経て該接触片２２３と接続する該電気接触部材２６のリベッティングポイント２６１まで伝送された後、更に、第２導電延伸片１２まで伝送され、ループを形成する。スイッチボタン２１を切り換える時、電源モジュールの大バネ２２２を連動し、接触片２２３を反転させ、第２接触クランプ２５と接触し、電気接続する。また、外部プラグ（図示せず）及び第１接触クランプ２４及び第２接触クランプ２５が接合し、且つ該電源モジュール２２をオンの位置まで切り換える時（図６参照）、電荷は、該第１導電延伸片１１から進入し、該第１接触クランプ２４のリベッティングポイント２４１を経て、該外部プラグの一極、例えば、正極まで伝送され、該外部プラグの他極、例えば、負極を経て、電荷を該第２接触クランプ２５まで伝送後、更に、該電気接触部材２６を経て、該第２導電延伸片１２まで伝送され、ループを形成する。
【符号の説明】
【００１６】
１  接続部材
１１  第１導電延伸片
１１１  リベット孔
１２  第２導電延伸片
１２１  リベット孔
２  スイッチソケット
２１  スイッチボタン
２２１  小バネ
２２２  大バネ
２２３  接触片
２３  基台
２３１  長形孔
２４  第１接触クランプ
２４１  リベッティングポイント
２５  第２接触クランプ
２６  電気接触部材
２６１  リベッティングポイント
２７  殻体
２７１  収容空間
２７２  開口
【図１】
0003174535.tif 000003
【図２】
0003174535.tif 000004
【図３】
0003174535.tif 000005
【図４】
0003174535.tif 000006
【図５】
0003174535.tif 000007
【図６】
0003174535.tif 000008
【手続補正書】
【提出日】平成24年1月20日(2012.1.20)
【手続補正１】
【補正対象書類名】実用新案登録請求の範囲
【補正対象項目名】請求項１
【補正方法】変更
【補正の内容】
【請求項１】
殻体と、該殻体内に設けられ基台の一側辺上に設置される第１接触クランプと、該基台の他側辺上に挟み設けられる第２接触クランプと、該基台２３の中心箇所に設けられる電気接触部材と、を含み、該第１接触クランプ、第２接触クランプ及び電気接触部材が接続部材を電気接続する延長ケーブルモジュール式スイッチソケット接続構造であり、
該接続部材が複数のリベット孔を設け、前記第２接触クランプ及び電気接触部材は、それぞれ該リベット孔に対応するリベッティングポイントを設け、該リベッティングポイントが該リベット孔に締結した後に更に、溶接固定することを特徴とする延長ケーブルモジュール式スイッチソケット接続構造。